(57)【要約】      （修正有）【課題】ノズルヘッドを押下げ、内容液を吐出する吐出容器において、ポンプ取付キャップに、ノズルヘッドの押圧操作体を取着した吐出ポンプ付容器を提供すること。【解決手段】容器体ＡとポンプＢと押圧操作体Ｃとからなる吐出ポンプ付容器であって、ポンプＢは、吐出ノズル３を設けたノズルヘッド２を具え、取付キャップ１を介して容器体Ａの口筒部に取着されており、押圧操作体Ｃは、取付キャップ１に被嵌する筒体４と、頂壁５とを具え、頂壁５には、操作レバー８を廻動自在に連設した支柱７を立設しており、支柱７の上端を、吐出ノズル３を挟んで二股状の支持板９とし、操作レバー８は、山面と谷面からなる波形湾曲面とし、山面の中央部にノズルヘッド２に接合する突起１４を垂設し、谷面から先端を押圧部１６としたことを特徴とする。【選択図】図１
2010083527.tif 000002
【特許請求の範囲】
【請求項１】
容器体とポンプと押圧操作体とからなる吐出ポンプ付容器であって、
ポンプは、吐出ノズルを設けたノズルヘッドを具え、取付キャップを介して容器体の口筒部に取着されており、
押圧操作体は、取付キャップに被嵌する筒体と、頂壁とを具え、
頂壁には、操作レバーを廻動自在に連設した支柱を立設しており、
支柱の上端を、吐出ノズルを挟んで二股状の支持板とし、
操作レバーは、山面と谷面からなる波形湾曲面とし、山面の中央部にノズルヘッドに接合する突起を垂設し、谷面から先端を押圧部としたことを特徴とする吐出ポンプ付容器。
【請求項２】
支持板の上端外面に、軸ピンが突設され、
操作レバーは、軸受孔を穿孔した二股状の連結板を具え、軸受孔が軸ピンに枢着されていることを特徴とする請求項１記載の吐出ポンプ付容器。
【請求項３】
押圧操作体の筒体内面と頂壁外周部が、ポンプの取付キャップ外周面に嵌着されるように形成されていることを特徴とする請求項１または２記載の吐出ポンプ付容器。
【発明の詳細な説明】
【技術分野】
【０００１】
本発明は、シャンプー、リンス、乳液、化粧品等の液体を吐出するのに適した吐出ポンプ付容器に関するものである。
【背景技術】
【０００２】
容器にポンプを装着したキャップ（下部蓋２）に、支持杆を突設し、該支持杆に中間操作部（５）を取着し、中間操作部（５）をポンプのピストン軸（上部蓋７）に設けた突起（１０）に係合させ、中間操作部（５）を片手で押下げ操作して、内容物を吐出口（４）より吐出するようにしたポンプ容器は、従来より知られている（例えば、特許文献１参照）。
【特許文献１】実開平５−９２１６５号公報
【発明の開示】
【発明が解決しようとする課題】
【０００３】
しかしながら、上記特許文献１記載の従来のポンプ容器では、ピストン軸に突起を設け、中間操作部と係合させており、中間操作部は、支持杆を介してキャップに取着されているので、吐出口の方向が、中間操作部の延びる方向と常に一致するように、ポンプとキャップを正確に位置決めして、容器に取付けなければならないという問題があった。
【０００４】
また、中間操作部が、ノズルヘッドの下方にあるので、押下げ操作にあたってノズルヘッドが妨げになるという問題があった。
それを防ぐために、ビストン軸を長くする必要もあるので、外観が劣るばかりか、一般の押下げ式のポンプ付吐出容器には、適用できなかった。
【０００５】
本発明は、上記問題を解決することを課題とし、ノズルヘッドを押下げ、内容液を吐出する吐出容器において、ポンプ取付キャップに、ノズルヘッドの押圧操作体を取着した吐出ポンプ付容器を提供することを目的とする。
【課題を解決するための手段】
【０００６】
本発明は、上記の問題を解決するため、吐出ポンプ付容器として、容器体とポンプと押圧操作体とからなる吐出ポンプ付容器であって、ポンプは、吐出ノズルを設けたノズルヘッドを具え、取付キャップを介して容器体の口筒部に取着されており、押圧操作体は、取付キャップに被嵌する筒体と、頂壁とを具え、頂壁には、操作レバーを廻動自在に連設した支柱を立設しており、支柱の上端を、吐出ノズルを挟んで二股状の支持板とし、操作レバーは、山面と谷面からなる波形湾曲面とし、山面の中央部にノズルヘッドに接合する突起を垂設し、谷面から先端を押圧部としたことを特徴とする構成を採用する。
【０００７】
操作レバーの実施例として、支持板の上端外面に、軸ピンが突設され、操作レバーは、軸受孔を穿孔した二股状の連結板を具え、軸受孔が軸ピンに枢着されていることを特徴とする構成を採用する。
【０００８】
押圧操作体の別実施例として、押圧操作体の筒体内面と頂壁外周部が、ポンプの取付キャップ外周面に嵌着されるように形成されていることを特徴とする構成を採用する。
【発明の効果】
【０００９】
ポンプの取付キャップに、押圧操作体を装着し、押圧操作体に、吐出ノズルを挟む二股状の支持板を具えた支柱を立設し、該支柱にノズルヘッドを押圧する突起を垂設し、突起から外側に離れた押圧部を設けた操作レバーを廻動自在に取り付けたので、吐出ノズルが妄りに廻動することを防ぐとともに、テコの作用により小さい力でノズルヘッドを押下げることができるようになった。
また、操作レバーが波形に湾曲しているので、谷面の押圧部だけでなく、先端部を横方向に押しても、ノズルヘッドの押下げができ、使い勝手がよくなった。
【発明を実施するための最良の形態】
【００１０】
次に、本発明の吐出ポンプ付容器について、実施例をあげ、図面を参照して説明する。
【実施例１】
【００１１】
図１〜３において、Ａは容器体、Ｂはポンプ、Ｃは押圧操作体である。
【００１２】
ポンプＢは、容器体Ａの口筒部に取付キャップ１によって装着され、上端にノズルヘッド２を取着しており、ノズルヘッド２には、吐出ノズル３が設けられている。
ポンプＢは、ノズルヘッドの押下げに応じて、容器体Ａから内容液を吸上げ、吐出ノズル３から吐出するものであればよく、その内部構造は、周知の種々の構成のものを用いることができる。
【００１３】
押圧操作体Ｃは、ポンプＢの取付キャップ１に被嵌され、容器体Ａの肩部に当接する筒体４と、ポンプＢのステムを上下動自在とした挿入孔を穿孔した頂壁５とを具えており、筒体４の表面中央部には、横方向に延びる多数の突条６が刻設された凹面が形成されている。
頂壁５には、支柱７が立設され、その上端部に操作レバー８が連設されている。
支柱７の上方は、ポンプＢの吐出ノズル３を受け入れられるように二股となっており、二つの支持板９ａ、９ｂが形成されている。
支持板９ａ、９ｂの上端部外面には、軸ピン１０が突設されている。
【００１４】
操作レバー８は、支柱７の支持板９ａ、９ｂの外側に接合する二股の連結板１１ａ、１１ｂと、押さえ板１２とから構成され、その形状は、山面と谷面を有する波形の湾曲面となっている。
連結板１１ａ、１１ｂには、軸ピン１０に係合する軸受孔１３が穿孔されており、押さえ板１２の山面のほぼ中央下面には、ノズルヘッド２に接触する突起１４が垂設され、その外方にある谷面から先端１５までは押圧部１６となっている。
【００１５】
次に、本実施例の吐出ポンプ付容器の使用形態と作用効果について、説明する。
本実施例のポンプ付容器の組立は、まず、取付キャップ１に押圧操作体Ｃの筒体４を被嵌し、次いで、押圧操作体Ｃを持ち上げ、支柱７の支持板９ａ、９ｂの間に吐出ノズル３を受け入れるように位置合わせして、ポンプＢを取付キャップ１に保持させる。
次に、押圧操作体Ｃを最高位置まで持ち上げて、取付キャップ１を露出させ、容器口筒部にポンプＢを挿入し、取付キャップ１を廻動させることによって、容器体ＡにポンプＢを装着することができる。
【００１６】
その後に、押圧操作体Ｃの筒体４を降下させると、筒体４の下端は、容器体Ａの肩部に当接して取付キャップ１を覆い、支柱７の支持板９ａ、９ｂを所定位置に保持する。
次に、軸ピン１０に、操作レバー８の連結板１１ａ、１１ｂの軸受孔１３を嵌合させ、突起１４をノズルヘッド２に当接させると、図１に示すように、本実施例の押圧操作体Ｃを装着した吐出ポンプ付容器が完成する。
【００１７】
組立にあたっては、筒体４の突条６を刻設した凹面が滑り止めとなるので取扱いが便利であり、また、操作レバー８の連結板１１ａ、１１ｂに可撓性があるので、軸ピン１０に軸受孔１３を容易に嵌合させることができる。
【００１８】
内容液の吐出にあたっては、図４に示すように、押圧操作体Ｃの操作レバー８の押圧部１６を下方に押下げると、ノズルヘッド２が押下げられ、内容液が吐出ノズル３から吐出される。
その際、押圧部１６の谷面は、突起１４より離れて位置しているので、テコの作用によって小さい力でノズルヘッド２を押下げることができる。
押下げは、容器体Ａを据え置いた状態でも、容器体Ａを手に持った状態でも、軽く押すだけでよい。
容器体Ａを手に持つときにも、突条６を刻設した凹面が滑り止めとなるので、持ち運びは便利となる。
【００１９】
また、操作レバー８は、軸ピン１０を中心に廻動するので、押圧部１６を上から押下げるだけでなく、押圧部１６の先端１５をほぼ横方向に押しても、操作レバー８が廻動してノズルヘッド２を押下げることができ、使い勝手がよくなった。
さらにまた、吐出ノズル３は、二股状の二つの支持板９ａ、９ｂに挟まれて位置しているので、吐出ノズル３が、妄りに廻動することはない。
【実施例２】
【００２０】
次に、取圧操作体の構成を変更した第２実施例について説明する。
第１実施例と同一の構成については、同一の符号を用いて図示して説明を省略し、以下相違点を中心に説明する。
【００２１】
図５、６において、Ａは容器体、Ｂはポンプ、Ｃａは押圧操作体である。
【００２２】
押圧操作体Ｃａは、筒体４ａと頂壁５ａとを具えており、筒体４ａの上部には支柱７ａが一体成形によって添着されており、その上端には操作レバー８ａが連設されている。
筒体４ａの内面は、ポンプＢの取付キャップ１ａに嵌着されるように形成され、頂壁５ａは、外周縁に沿ってリング状に形成され、嵌着時に取付キャップ１ａ上面の外周に当接し、押圧操作体Ｃａが定位置で取付キャップ１ａに嵌合保持されるようにしている。
【００２３】
支柱７ａ、操作レバー８ａの構成は、第１実施例と同一である。
【００２４】
本実施例の吐出ポンプ付容器の組立は、第１実施例と同じく、押圧操作体Ｃａを持ち上げた状態で組み立てられ、ポンプＢを容器口筒部に装着した後に、押圧操作体Ｃａが取付キャップ１ａに嵌着される。
使用時には、第１実施例と同一の作用効果を得ることができる。
【００２５】
前記各実施例では、支持板９ａ、９ｂに軸ピン１０を設け、連結板１１ａ、１１ｂに軸受孔１３を設けたが、軸ピンに替えて突起を設け、軸受孔に替えて突起が係合する凹部を設けてもよい。
また、軸ピンを連結板に設け、支持板に軸受孔を設けるようにしてもよい。
【産業上の利用可能性】
【００２６】
本発明は、ノズルヘッドを上方から押圧できる操作レバーを具えた押圧操作体を、ポンプの取付キャップに装着し、小さい力でノズルヘッドを押下げるようにしたので、各種の吐出ポンプ付容器に広く利用できるようになった。
【図面の簡単な説明】
【００２７】
【図１】本発明第１実施例の吐出ポンプ付容器の立面図である。
【図２】吐出ポンプ付容器の上面図である。
【図３】吐出ポンプ付容器の側面図である。
【図４】ノズルヘッド押下げ時の立面図である。
【図５】第２実施例の吐出ポンプ付容器の立面図である。
【図６】吐出ポンプ付容器の上面図である。
【符号の説明】
【００２８】
Ａ        容器体
Ｂ        ポンプ
Ｃ、Ｃａ  押圧操作体
１、１ａ  取付キャップ
２        ノズルヘッド
３        吐出ノズル
４、４ａ  筒体
５、５ａ  頂壁
６        突条
７、７ａ  支柱
８、８ａ  操作レバー
９ａ，ｂ  支持板
１０      軸ピン
１１ａ，ｂ  連結板
１２      押さえ板
１３      軸受孔
１４      突起
１５      先端  
１６      押圧部
【図１】
2010083527.tif 000003
【図２】
2010083527.tif 000004
【図３】
2010083527.tif 000005
【図４】
2010083527.tif 000006
【図５】
2010083527.tif 000007
【図６】
2010083527.tif 000008